(57)【要約】【課題】  アナログレコードプレーヤと同様の操作により特殊再生を行うことができると共に、ジョグダイヤルの回転操作に対する制動力を容易に調節することができるオーディオ再生装置を提供する。【解決手段】  記憶部に記憶されたオーディオデータの読み出し速度及び読み出し順序を指示する読出指示部は、回転軸と、回転軸を軸として回転する操作円盤部と、操作円盤部を載置する円盤部と、切欠部が形成された保持部と、切欠部を回転軸に挿入した保持部を押圧することにより操作円盤部に付加する制動力を調節する調節部とを備える。【選択図】  図１
2008021379.tif 000002
【特許請求の範囲】
【請求項１】
記録媒体に記録されたオーディオデータを再生する再生部と、
前記再生部が再生したオーディオデータを記憶する記憶部と、
前記記憶部に記憶されたオーディオデータの読み出し速度及び読み出し順序を指示する読出指示部とを備えたオーディオ再生装置において、
前記読出指示部は、
回転軸と、
前記回転軸を軸として回転する操作円盤部と、
前記操作円盤部を載置する円盤部と、
切欠部が形成された保持部と、
前記切欠部を前記回転軸に挿入した前記保持部を押圧することにより前記操作円盤部に付加する制動力を調節する調節部とを備えることを特徴とするオーディオ再生装置。
【請求項２】
請求項１に記載のオーディオ再生装置において、
前記円盤部を回転駆動する駆動部と、前記操作円盤部の回転速度及び回転方向を検出して制御信号を発生する検出部と、前記制御信号により前記記憶部に記憶されたオーディオデータの読み出し速度及び読み出し順序を制御する制御部とを備えることを特徴とするオーディオ再生装置。
【発明の詳細な説明】
【技術分野】
【０００１】
本発明は、記録媒体から読み取ったオーディオデータを記憶し、記憶したオーディオデータの読み出し速度及び読み出し順序を指示する操作円盤部を備えたオーディオ再生装置に関する。
【背景技術】
【０００２】
オーディオ再生装置を操作してオーディオデータを再生するＤＪ（Disc Jockey）は、アナログレコード又はＣＤ（Compact Disc）等の記録媒体に記録されたオーディオデータを再生している最中に、擦れ音のような効果音を発生させるスクラッチ再生と呼ばれる特殊再生を行うことがある。ＤＪは、アナログレコードプレーヤを用いてスクラッチ再生を行う場合、アナログレコードを素早く正方向又は逆方向に回すことにより擦れ音を発生させる。また、このアナログレコードプレーヤによるスクラッチ再生と同様の特殊再生を行うことが可能なＤＪ用ＣＤプレーヤがある。
【０００３】
ＤＪ用ＣＤプレーヤは、ジョグダイヤルとメモリを備え、ＣＤから再生したオーディオデータをメモリに記憶し、ジョグダイヤルを正方向又は逆方向に回転することにより、メモリに記憶されたオーディオデータの読み出し速度と読み出し順序を制御し、アナログレコードによる擦れ音と同等の効果音を発生させる。このように、ＤＪは、ＣＤに記録されたオーディオデータを再生しているとき、ジョグダイヤルをアナログレコードと同じように回転操作することにより、アナログレコードと同様のスクラッチ再生等の特殊再生を行うことができる。（例えば、特許文献１、特許文献２参照。）
【０００４】
【特許文献１】特開２００１−３１２８５７号公報
【特許文献２】特開２００３−３４６４６９号公報
【発明の開示】
【発明が解決しようとする課題】
【０００５】
アナログレコードを回転操作してスクラッチ再生等の特殊再生を行うことができるアナログレコードプレーヤでは、アナログレコードがターンテーブル上で滑りやすくするために、ターンテーブル上にスリップマットが置かれている。ＤＪは、アナログレコードを回転操作しやすくするために、このスリップマットの材質や厚さを変えて、スリップマットのアナログレコードの回転操作による回転に対する制動力（摩擦力）を調節していた。
【０００６】
特許文献１に開示されているようなＤＪ用ＣＤプレーヤでは、ジョグダイヤルを回転操作するとき、ジョグダイヤルの回転に対して一定の制動力を付加するのみであり、ＤＪは、ジョグダイヤルを回転操作しやすい制動力に調節することができない。また、特許文献２に開示されているようなＤＪ用ＣＤプレーヤでは、ジョグダイヤルを回転しやすくするためのシート部材（スリップマットに相当する）を備えた構成をしている。このような構成であっても、ジョグダイヤルの回転に対して一定の制動力を付加するのみであり、ジョグダイヤルを回転操作しやすい制動力に調節することができない。このため、ＤＪは、アナログレコードを用いて特殊再生を行う場合と同様の回転操作の感覚（アナログレコードを手で回転させる力加減）で、ジョグダイヤルを回転操作することができないという課題があった。
【０００７】
本発明は、上記の課題を解決するためになされたものであり、アナログレコードプレーヤと同様の操作により特殊再生を行うことができると共に、ジョグダイヤルの回転操作に対する制動力を容易に調節することができるオーディオ再生装置を提供することを目的とする。
【課題を解決するための手段】
【０００８】
上記の課題を解決するために、本願の請求項１に記載の発明は、記録媒体に記録されたオーディオデータを再生する再生部と、前記再生部が再生したオーディオデータを記憶する記憶部と、前記記憶部に記憶されたオーディオデータの読み出し速度及び読み出し順序を指示する読出指示部とを備えたオーディオ再生装置において、前記読出指示部は、回転軸と、前記回転軸を軸として回転する操作円盤部と、前記操作円盤部を載置する円盤部と、切欠部が形成された保持部と、前記切欠部を前記回転軸に挿入した前記保持部を押圧することにより前記操作円盤部に付加する制動力を調節する調節部とを備えることを特徴とする。
【０００９】
また、本願の請求項２に記載の発明は、請求項１に記載のオーディオ再生装置において、前記円盤部を回転駆動する駆動部と、前記操作円盤部の回転速度及び回転方向を検出して制御信号を発生する検出部と、前記制御信号により前記記憶部に記憶されたオーディオデータの読み出し速度及び読み出し順序を制御する制御部とを備えることを特徴とする。
【発明の効果】
【００１０】
本発明によれば、アナログレコードプレーヤと同様の操作により特殊再生を行うことができると共に、ジョグダイヤルの回転操作に対する制動力を容易に調節することができるオーディオ再生装置を提供することができる。
【発明を実施するための最良の形態】
【００１１】
以下、本発明の実施の形態を図面を参照して説明する。
図１は、本発明の一実施例であるオーディオ再生装置の構成を示すブロック図である。図１において、１は本実施例のオーディオ再生装置、２は再生部、３は信号処理部、４はメモリ制御部、５は記憶部、６はＤＡＣ（Digital to Analog Converter）、７は増幅部、８は出力部、９は操作部、１０は制御部を示す。本発明の一実施例であるオーディオ再生装置は、ＣＤやＨＤ（Hard Disk）等の記録媒体に記録されたデジタルオーディオデータを再生する装置であり、操作部９に読出指示部としてのジョグダイヤルを備える。
【００１２】
再生部２は、ＣＤやＨＤに記録されたデジタルオーディオデータを再生する。再生されたデジタルオーディオデータは、信号処理部３に入力される。信号処理部３は、入力されたデジタルオーディオデータにデコード等を信号処理を施し、信号処理を施したデジタルオーディオデータをメモリ制御部４に入力する。
【００１３】
メモリ制御部４は、入力されたデジタルオーディオデータを記憶部５に記憶する制御、および、記憶部５に記憶したデジタルオーディオデータを読み出す制御をする。記憶部５は、メモリ制御部４から入力されたデジタルオーディオデータを記憶する。記憶部５により記憶されたデジタルオーディオデータは、メモリ制御部４の制御により読み出されＤＡＣ６に入力される。ＤＡＣ６は、デジタルオーディオデータをアナログオーディオ信号に変換し増幅部７に入力する。ＤＡＣ６により変換されたアナログオーディオ信号は、増幅部７により増幅され出力部８を介してスピーカ等から出力される。操作部９は、ジョグダイヤル、再生ボタン、再生停止ボタン等を備える。制御部１０は、オーディオ再生装置１を統括的に制御する。
【００１４】
図２は、操作部９に備えられたジョグダイヤルの側断面を示す図である。図２において、２１はパネル、２２はモータ、２３は回転軸、２４はプーリ、２５はプーリ部、２６はベルト、２７は円盤部、２８はプーリ部、２９はスリップマット、３０は操作円盤部、３１は保持部、３２は回転軸、３３は第２光センサ部、３４はスケール保持部、３５はスケール部、３６は第１光センサ部、３７はスケール保持部、３８はスケール部、３９はワッシャー、４０はネジ、４１は軸受け、４２はEリング、４３は軸受け、４４は軸受けを示す。操作円盤部３０は、直径１０cm〜３０cmのアナログレコードと同等の大きさであり、オーディオ再生装置１の上面に取り付けられている。
【００１５】
モータ２２は、オーディオ再生装置１のパネル２１にネジ４０により取り付けられている。パネル２１は、軸受け４１をインサート成形、すなわち一体成形（以下同じ）により形成している。モータ２２の回転軸２３には、プーリ２４が取り付けられている。モータ２２の回転軸２３に取り付けられたプーリ２４のプーリ部２５と円盤部２７のプーリ部２８にベルト２６が掛けられている。
【００１６】
円盤部２７の回転状態を検出するためのスケール部３８は、円盤部２７の裏面に取り付けられたスケール保持部３７にネジ４０により固定されている。第１光センサ部３６は、パネル２１にネジ４０により固定されている。また、スケール保持部３７は、軸受け４３と一体成形により形成されている。スケール保持部３７は、パネル２１の軸受け４１に挿入され、Ｅリング４２により保持されている。円盤部２７の裏面には、上述したプーリ部２８が環状に設けられている。
【００１７】
操作円盤部３０の保持シャフトである回転軸３２には、軸受け４４が一体成形により形成されている。回転軸３２は、パネル２１の軸受け４１にワッシャー３９を介して挿入され保持されている。
【００１８】
操作円盤部３０の回転状態を検出するためのスケール部３５は、スケール保持部３４にネジ４０により固定されている。スケール保持部３４は、ワッシャー３９を介して回転軸３２に挿入されている。第２光センサ部３３は、パネル２１にネジ４０により固定されている。スリップマット２９は、円盤部２７の上面に載置されている。このスリップマット２９は、摩擦係数が小さく、静電気が発生しにくいプラスチックまたはプラスチック繊維からなる。操作円盤部３０は、スリップマット２９の上面に載置されている。
【００１９】
保持部３１は、操作円盤部３０の上面に載置され、回転軸３２に設けられた孔（図示せず）と嵌合するとともに、保持部３１に設けられた凸部（図示せず）と操作円盤部３０に設けられた凹部（図示せず）が嵌合する。したがって、操作円盤部３０が回転すると、保持部３１を介して回転軸３２およびスケール保持部３４に取り付けられたスケール部３５も回転するため、操作円盤部３０とスケール部３５は一体的に回転する。
【００２０】
図３は、第２光センサ部３３及びスケール部３５を説明する図である。図３（ａ）は、スケール部３５の上面を示す図であり、図３（ｂ）は、図３（ａ）の点線円内の部分を拡大した図である。
図３（ａ）に示すように、スケール部３５の外周部には、等間隔に長方形状のスリット部３５ａが設けられている。スケール部３５の材質が金属の場合、スリット部３５ａは、長方形状の開口部にする。しかし、開口部の形状は、長方形に限られるものではなく、任意の形状でよい。また、スケール部３５として材質が透明又は半透明のプラスチックなどが用いられている場合は、スリット部３５ａを印刷によって形成する。この場合、スリット部３５ａの印刷塗料にカーボンを含ませると、第２光センサ部３３によるスリット部３５ａを検出する精度が向上する。また、スケール部３８は、スケール部３５と同様にその外周部に等間隔に長方形状のスリット部が設けられている。
【００２１】
第２光センサ部３３は、図３（ｂ）に示すように、操作円盤部３０と一体的に回転するスケール部３５の回転方向を検出するために、２つの光センサ３３ａ及び３３ｂから構成され、スリット部３５ａを検出できるようにパネル２１の裏面に固定されている。また、第１光センサ部３６は、第２光センサ部３３と同様に２つの光センサから構成され、スリット部を検出できるようにパネル２１の上面に固定されている。
【００２２】
第１光センサ部３６は、スケール部３８のスリット部を検出し、円盤部２７の回転状態（回転角度及び回転方向）に応じた第１パルス信号を発生し、制御部１０に入力する。また、第２光センサ部３３は、スケール部３５のスリット部３５aを検出し、操作円盤部３０の回転状態に応じた第２パルス信号を発生し制御部１０に入力する。
【００２３】
制御部１０は、第１光センサ部３６から入力された第１パルス信号から、円盤部２７の回転速度を予め定められた速度に保つようにモータ２２を制御する。また、制御部１０は、第２光センサ部３３から入力される第２パルス信号に応じて、記憶部５に記憶されたデジタルオーディオデータの読み出す速度及び方向を判別しメモリ制御部４を制御する。
【００２４】
本実施例のオーディオ再生装置１は、記録媒体に記録されたオーディオデータを再生する場合、モータ２２は、予め定められた速度（例えば、アナログレコードプレーヤの再生時におけるターンテーブルの角速度）で回転する。モータ２２の駆動力は、プーリ部２５とプーリ部２８にかけられているベルト２６に伝達されて円盤部２７が回転することにより、スリップマット２９、操作円盤部３０、スケール部３５及びスケール部３８は、円盤部２７と同じ速度で回転する。ここで、操作円盤部３０は、円盤部２７の回転に追従できるように表面積を大きくし、材質、厚みを調節することにより、載置されているスリップマット２９が小さい摩擦係数であっても、円盤部２７と同じ回転速度で回転を開始するように、自重と慣性モーメントとを小さくなるように設計されている。モータ２２の回転方向は、アナログレコードプレーヤのターンテーブルの回転方向（右回り）と同じ方向である。このため、本実施例のオーディオ再生装置１は、アナログレコードを用いて特殊再生を行う操作と同様の操作をすることができる。
【００２５】
本実施例のオーディオ再生装置１において、ＤＪが予め定められた速度で回転している操作円盤部３０を停止する操作を行うときの再生動作について説明する。
【００２６】
ＤＪは、予め定められた速度で回転している操作円盤部３０に手を乗せ、徐々に操作円盤部３０の回転速度を低くする。このとき、円盤部２７は、スリップマット２９の摩擦係数が小さいため、操作円盤部３０の回転速度に影響されることなく、予め定められた回転速度で回転する。操作円盤部３０の回転速度が変化すると、第２光センサ部３３から一定時間に発生する第２パルス信号のパルス数は、操作円盤部３０の回転速度に応じて変化する。制御部１０は、第２光センサ部３３から一定時間に入力された第２パルス信号のパルス数から操作円盤部３０の回転速度を判別する。制御部１０は、判別した回転速度に応じてメモリ制御部４を制御する。メモリ制御部４は、記憶部５からデジタルオーディオデータを読み出す速度を低くする制御をする。
【００２７】
操作円盤部３０の回転が停止したとき、第２光センサ部３３は、制御部１０に第２パルス信号を入力しない。制御部１０は、第２光センサ部３３から第２パルス信号の入力がない場合、メモリ制御部４に記憶部５からデジタルオーディオデータの読み出しを停止する制御をする。
【００２８】
ＤＪが操作円盤部３０から手を離し操作が終了すると、操作円盤部３０は、円盤部２７が予め定められた速度で回転しているので、直ちに、予め定められた速度で回転を再開する。操作円盤部３０が予め定められた速度で回転を再開すると、制御部１０は、メモリ制御部４に通常再生時の読み出し速度で記憶部５からデジタルオーディオデータを読み出す制御をする。
【００２９】
また、ＤＪは、予め定められた速度で回転している操作円盤部３０を手で予め定められた速度より速く回転させて、徐々に操作円盤部３０の回転速度を高くする場合、制御部１０は、第２光センサ部３３から一定時間に入力された第２パルス信号のパルス数に応じて、メモリ制御部４に記憶部５から読み出すデジタルオーディオデータの速度を高くする制御をする。
【００３０】
本実施例のオーディオ再生装置１において、ＤＪが操作円盤部３０を定められた速度で回転している方向と逆方向に回転させるときの再生動作について説明する。
【００３１】
ＤＪは、手で予め定められた速度で回転している操作円盤部３０を逆方向（左回り）に回転させる。このとき、円盤部２７は、スリップマット２９の摩擦係数が小さいため、操作円盤部３０の回転速度及び方向に影響されることなく、予め定められた速度で回転することができる。第２光センサ部３３は、２つの光センサ３３ａ及び３３ｂを備えているため、操作円盤部３０の回転方向が変化すると、この２つの光センサ３３ａ及び３３ｂから発生する第２パルス信号の位相差は、操作円盤部３０の回転方向に応じて変化する。制御部１０は、この２つの光センサ３３ａ及び３３ｂから入力された第２パルス信号の位相差から操作円盤部３０の回転方向を判別する。また、上述したように、制御部１０は、第２光センサ部３３から一定時間に入力された第２パルス信号のパルス数から操作円盤部３０の回転速度を判別する。制御部１０は、判別した回転速度及び回転方向に応じて、メモリ制御部４を制御する。メモリ制御部４は、記憶部５からデジタルオーディオデータを読み出す速度及び順序を制御する。
【００３２】
ＤＪが操作円盤部３０から手を離し操作が終了すると、操作円盤部３０は、円盤部２７が予め定められた速度で回転しているので、直ちに、予め定められた速度及び回転方向の回転を再開する。操作円盤部３０が予め定められた速度及び回転方向で回転を再開すると、制御部１０は、メモリ制御部４に通常再生時の読み出し速度で記憶部５からデジタルオーディオデータを読み出す制御をする。
【００３３】
図４は、第２光センサ部が操作円盤部３０の回転方向を判別する方法を説明する図である。図３（ｂ）に示すように、スケール部３５のスリット部３５ａを検出する第２光センサ部３３が備える光センサ３３ａ及び光センサ３３ｂが、スリット部３５ａを検出したとき、ＯＮを示す第２パルス信号を出力し、スリット部３５ａ位置にないとき、ＯＦＦを示す第２パルス信号を出力する。光センサ３３ａ及び光センサ３３ｂは、それぞれ出力される第２パルス信号の組み合わせとして、次の４通りの出力パターンが発生する。
＃１：３３ａ‐ＯＮ、３３ｂ‐ＯＦＦ
＃２：３３ａ‐ＯＮ、３３ｂ‐ＯＮ
＃３：３３ａ‐ＯＦＦ、３３ｂ‐ＯＮ
＃４：３３ａ‐ＯＦＦ、３３ｂ‐ＯＦＦ
【００３４】
ここで、光センサ３３ａは、光センサ３３ｂに対して、（ｎピッチ＋１／４ピッチ）だけ正方向に進んだ位置にセットされている場合、操作円盤部３０が正方向に回転した場合は、図４（ａ）に示すように、
＃４→＃１→＃２→＃３→＃４→＃１→・・・
の順番で上述した出力パターンが発生する。
【００３５】
一方、操作円盤部３０が逆方向に回転した場合は、図４（ｂ）に示すように、
＃１→＃４→＃３→＃２→＃１→＃４→・・・
の順番で上述した出力パターンが発生する。制御部１０は、上記の出力パターンの発生順序の違いを検出し、操作円盤部３０の回転方向を判別することができる。同様に、円盤部２７の回転方向の判別についても、第１光センサ部３６が備える２つの光センサ３６から、それぞれ出力される第１パルス信号の出力パターンから、制御部１２が円盤部２７の回転方向の判別を判別することができる。
【００３６】
本実施例のオーディオ再生装置１を用いて、スクラッチ再生を行う場合、ＤＪは、手で操作円盤部３０を素早く正方向又は逆方向に回転させる操作を繰り返す。制御部１０は、第２光センサ部３３から入力される第２パルス信号から、操作円盤部３０の回転速度及び回転方向を判別する。制御部１０は、判別した回転速度及び回転方向に応じてメモリ制御部４を制御する。
【００３７】
メモリ制御部４は、記憶部５に記憶されたデジタルオーディオデータの読み出し速度及び読み出し順序（オーディオデータを昇順アドレスで読み出す、または、降順で読み出す）を制御する。記憶部５から読み出されたデジタルオーディオデータは、ＤＡＣ６によりアナログオーディオ信号に変換され、増幅部７により増幅されて出力部８を介してスピーカから擦れ音のような効果音として出力される。
【００３８】
次に、本実施例のオーディオ再生装置１において、操作円盤部３０の回転操作に対する制動力の調節について説明する。
【００３９】
図５は、保持部３１の構成を示す図である。図５(ａ)は保持部３１の上面図であり、図５（ｂ）は保持部３１の側断図である。図５（ａ）に示すように、保持部３１には、切欠部３１ａが形成されている。この切欠部３１ａは、保持部３１を回転軸３２に挿入するために形成されている。また、切欠部３１ａは、図５（ｂ）に示すように、保持部３１の上面から下面の方向に切欠の幅が狭くなるように形成されている。この切欠部３１ａにより、保持部３１には、切欠部３１ａに傾斜部３１ｂが形成されている。また、図５（ａ）および図５（ｂ）に示すように保持部３１の下面には、２つの凸部３１ｃが設けられている。
【００４０】
図６は、回転軸３２の構成を示す図である。回転軸３２の先端は、調節部３２ａに設けられたネジにより結合可能な構成をしている。また、回転軸３２の先端は窪んでいるため、調節部３２ａがネジにより回転軸３２と結合すると、保持部３１を挿入するための挿入孔３２ｂが形成される。操作円盤部３０には、保持部３１が回転軸３２の挿入孔３２ｂに挿入されたとき、保持部３１に設けられた凸部３１ｃと嵌合する凹部３０ａが設けられている。
【００４１】
図７は、保持部３１を回転軸３２に挿入する状態を示す図である。図示する矢印の方向へ保持部３１の切欠部３１ａを回転軸３２に形成された挿入孔３２ｂに挿入すると、保持部３１は、回転軸３２と当接するとともに、保持部３１の凸部３１ｃが操作円盤部３０の凹部３０ａと嵌合する。保持部３１は、凸部３１ｃと凹部３０ａが嵌合することにより、操作円盤部３０を保持する。
【００４２】
図８は、操作円盤部３０の回転操作に対する制動力の調節を説明する図である。回転軸３２と調節部３２ａは、ネジにより結合可能な構成となっているため、調節部３２ａを回転させることにより、操作円盤部３０の回転操作に対する制動力の調節をすることができる。例えば、調節部３２ａを時計方向に回転させると、調節部３２ａは保持部３１を押圧する力が強くなり、保持部３１は傾斜部３１ｂに沿って図８に示すＹ方向に移動する。
【００４３】
調節部３２ａを反時計方向に回転させると、調節部３２ａは保持部３１を押圧する力が弱くなり、保持部３１は傾斜部３１ｂに沿って図８に示すＸ方向に移動する。調節部３２ａのネジのピッチが０．４ｍｍである場合、調節部３２ａが１回転すると、Ｘ方向またはＹ方向に０．４ｍｍ移動する。
【００４４】
本実施例のオーディオ再生装置１は、保持部３１に形成された切欠部３１ａを回転軸３２に挿入して操作円盤部３０を保持する構成であるため、容易に保持部３１を取り付けおよび取り外しをすることができる。このため、簡単にスリップマット２９の交換を行うことができる。また、本実施例のオーディオ再生装置１は、調節部３２ａを回転させることにより、回転軸３２に挿入された保持部３１が操作円盤部３０を押圧する力を調節することができる。このように、保持部３１による操作円盤部３０を押圧する力を調節することにより、操作円盤部３０とスリップマット２９の間に生じる摩擦力が変化するため、操作円盤部３０を回転操作しやすい制動力になるように調節することができる。
【００４５】
本実施例のオーディオ再生装置１において、スリップマット２９や操作円盤部３０の厚さが不均一である場合、スリップマット２９を交換した場合や操作円盤部３０が透明なものであるときに操作円盤部３０とスリップマット２９の間に図形などがデザインされたシートを追加する場合等により、操作円盤部３０とスリップマット２９の間に生じる摩擦力が変化することがある。このような場合、ＤＪは、調節部３２ａを回転させることにより、操作円盤部３０とスリップマット２９の間に生じる摩擦力を調節することができる。
【図面の簡単な説明】
【００４６】
【図１】本実施例であるオーディオ再生装置の構成を示すブロック図。
【図２】操作部９に備えられたジョグダイヤルの側断面を示す図。
【図３】第２光センサ部３３及びスケール部３５を説明する図。
【図４】第２光センサ部が操作円盤部３０の回転方向を判別する方法を説明する図。
【図５】保持部３１の構成を示す図。
【図６】回転軸３２の構成を示す図。
【図７】保持部３１を回転軸３２に挿入する状態を示す図。
【図８】操作円盤部３０の回転操作に対する制動力の調節を説明する図。
【符号の説明】
【００４７】
１…オーディオ再生装置、２…再生部、３…信号処理部、４…メモリ制御部、５…記憶部、６…ＤＡＣ、７…増幅部、８…出力部、９…操作部、１０…制御部、２１…パネル、２２…モータ、２３…回転軸、２４…プーリ、２５…プーリ部、２６…ベルト、２７…円盤部、２８…プーリ部、２９…スリップマット、３０…操作円盤部、３１…保持部、３２…回転軸、３３…第２光センサ部、３４…スケール保持部、３５…スケール部、３６…第１光センサ部、３７…スケール保持部、３８…スケール部、３９…ワッシャー、４０…ネジ、４１…軸受け、４２…Eリング、４３…軸受け、４４…軸受け
【図１】
2008021379.tif 000003
【図２】
2008021379.tif 000004
【図３】
2008021379.tif 000005
【図４】
2008021379.tif 000006
【図５】
2008021379.tif 000007
【図６】
2008021379.tif 000008
【図７】
2008021379.tif 000009
【図８】
2008021379.tif 000010